(57)【要約】【課題】  従来公知のスライドバリア機構においてカメラ等の光学機器の外面に溝を設ける必要がなく、かつバリアの移動重量を低減させるために複数の歯車を持つローラとバリアの内側にラックを設けたバリア機構があったが、外部からの応力によりバリアの浮き上がりやギア飛びが発生しやすいという欠点があった。本発明はこのような欠点のないスライド式バリア機構を提供する。【解決手段】  カメラ前面外装板に沿って鏡筒を覆う閉位置と鏡筒が露出する開位置とに移動するバリアと前記カメラ前面外装板に沿って移動可能に前記バリアをガイドするガイド手段と前記バリア背面を転がり前記ガイドにて前記カメラ前面外装板に回転可能に保持されたローラを有したスライドバリア機構において、該前面外装板の前記ローラの軸線から離れた位置で、かつバリアが開閉しても外側に露出することのない位置にフック部、前記バリア裏側の前記フックに相対する位置にレール部を配し、前記バリアがカメラ前後方向に移動不可能となるように当接することを特徴とするスライドバリア機構。【選択図】        図３
2005309199.tif 000002
【特許請求の範囲】
【請求項１】
カメラ前面外装板に沿って鏡筒を覆う閉位置と鏡筒が露出する開位置とに移動するバリアと前記カメラ前面外装板に沿って移動可能に前記バリアをガイドするガイド手段と前記バリア背面を転がり前記ガイドにて前記カメラ前面外装板に回転可能に保持されたローラを有したスライドバリア機構において、該前面外装板の前記ローラの軸線から離れた位置で、かつバリアが開閉しても外側に露出することのない位置にフック部、前記バリア裏側の前記フックに相対する位置にレール部を配し、前記バリアがカメラ前後方向に移動不可能となるように当接することを特徴とするスライドバリア機構。
【請求項２】
前記スライドバリア機構において前記バリアが開状態または閉状態であることを検出するためのバリア開閉検出部材を有し、前記バリア開閉検出部材は前記フックの近傍にあることを特徴とする請求項１記載のスライドバリア機構。
【請求項３】
前記スライドバリア機構においてレンズ鏡筒が繰り出し時に前記バリアが移動不可能となるように移動するバリア固定部材を有し、前記移動式バリア固定部材は前記フックの近傍にあることを特徴とする請求項１または請求項２記載のスライドバリア機構。
【請求項４】
前記スライドバリア機構において前記バリア検出部材は前記バリアに設けられたバリア検出部材により、前記バリアが全開、または全閉、あるいはその近傍時以外は前記バリア開閉検出部材の移動を伴わないことを特徴とする請求項１または請求項２記載のスライドバリア機構。
【請求項５】
前記スライドバリア機構において前記フックが当接するレール部は前記バリア中間域において一部が切りかかれ、前記バリアが中間域でのみ取り付け可能であることを特徴とする請求項１または請求項２記載のスライドバリア機構。
【発明の詳細な説明】
【技術分野】
【０００１】
本発明はカメラ等の光学機器の前面を保護するバリアを有したスライドバリア機構に関する。
【背景技術】
【０００２】
レンズ非交換型カメラ等の光学機器においては非使用時に該光学機器の前面を保護するためにスライドバリア機構を装備しているものがある。図１は従来公知のレンズ非交換型カメラ等の光学機器において複数の歯車を持つローラとバリアの内側にラックを設けたバリア機構の一例を示したものであり、特許文献１に開示されているものである。
【０００３】
同図において、１はカメラ外装板の前面を左右方向に移動可能なバリアであり、バリア１の背面の上下両縁部近傍にはバリア１の移動方向と平行に延在するラック１ａ及び１ｂが形成されるとともに、それぞれのラックに隣接した位置には非移動回転案内部材２のローラ部兼連結軸２ｃに転動接触する転動接触面１ｄが形成されている。また、二つの転動接触面１ｄの間の位置には板部材４を嵌め込むための凹部１ｃが形成されている。板部材４の前面には上下両縁部に沿ってラック１ａ及び１ｂと平行に延在する摺接部としての凹部４ａが形成され、該凹部４ａは保持部材３の係合部３ａに相対摺接可能に係合するようになっている。
【特許文献１】特開平８−６１１４号公報
【発明の開示】
【発明が解決しようとする課題】
【０００４】
この場合バリア１は前記板部材４の凹部４ａとバリア１の凹部１ｃの間で挟まれた前記保持部材３でのみ支えられる形となりバリア１に外部からの応力が加わったとき、例えば引き剥がし方向に引かれるとバリア浮きの原因となったり、バリア１の上面及び下面よりバリアの移動方向と直交方向に力が加わった時にローラ部兼連結軸２ｃとラック１ａ及び１ｂの間で歯飛びが発生し、上下のギア間に位相差ができる事によりバリア１が斜めに傾いてしまうことがあった。また該バリア１の反りや外部からの応力により前記バリア１と前記前面外装板に間接的に保持されたバリア開閉検出部材の間に隙間ができ、バリア開閉検出が出来なくなる不具合が発生することがあった。またカメラ本体からバリア位置検出用の部材が飛び出る構造となっている場合前記バリア検出部材中立位置にない状態で不用意に組み込むと前記バリア検出部材を破損したり検出スイッチそのものを破壊してしまう事があった。またカメラの起動時間を短縮するためにはバリア開だけでなくバリア閉も検出することが重要であるが前記バリア検出部材が常にバリアと連動して移動する場合バリア検出機構が大型化してしまうことがあった。
【０００５】
（目的）
従来公知のスライドバリア機構においてカメラ等の光学機器の外面に溝を設ける必要がなく、かつバリアの移動重量を低減させるために複数の歯車を持つローラとバリアの内側にラックを設けたバリア機構があったが、外部からの応力によりバリアの浮き上がりやギア飛びが発生しやすいという欠点があった。本発明はこのような欠点のないスライド式バリア機構を提供する。
【課題を解決するための手段】
【０００６】
前記課題を解決するために本発明の第一の発明はバリアを外観面を形成する外カバーと高分子材料により形成されたインナー部材の二部品により構成し、外カバーで隠された前記インナー部材に溝、及びリブを設け、同時にカメラ本体前面外装板に固着された非移動回転案内部材の軸線から離れた位置にあり、且つバリアが開閉しても外側にはみ出る事のない部分に前記リブと当接するフックを設けることにより、バリア引き剥がし方向の外力を受けても前記バリアが浮き上がることを防ぐとともに、バリア開閉方向と直交する方向に力が加わっても前記インナー部材が浮き上がり、結果ギア歯飛びを誘発することが無くすことができる。また前記フックを前記バリア開閉検出部材と前記移動式バリア固定部材の近傍に置くことにより前記バリアが変形したり、外部から強い力が加わっても前記バリア検出部材が前記インナー部材の溝から外れることを防止するとともに鏡筒繰り出し状態でバリアロックが外れることを防止することができる。また前記バリアに設けられたレールとカメラ本体側に取り付けられた検出部材を前記レール部に挿入させ、前記レールの両端で前記バリアの開閉検出を行う場合、不用意に該バリアを全開、全閉位置で組み込むと検出部材そのものや同部材の移動を検出するスイッチを壊してしまう可能性があるため前記フックと当接するリブの一部を前記検出部材が中立位置となる中間域において切りかきを設け、それ以外の場所で組み込めない構造にすることで検出機構の破損を避けることができる。また前記バリア検出部材がバリア開およびバリア閉時またはその近傍時のみ前記バリアと連動させることによって検出機構が大型化することなく開、閉両方の検出を行うことができる。
【０００７】
なお、さらに詳細に説明すれば、本発明は下記の構成によって前記課題を解決できた。
【０００８】
（１）カメラ前面外装板に沿って鏡筒を覆う閉位置と鏡筒が露出する開位置とに移動するバリアと前記カメラ前面外装板に沿って移動可能に前記バリアをガイドするガイド手段と前記バリア背面を転がり前記ガイドにて前記カメラ前面外装板に回転可能に保持されたローラを有したスライドバリア機構において、該前面外装板の前記ローラの軸線から離れた位置で、かつバリアが開閉しても外側に露出することのない位置にフック部、前記バリア裏側の前記フックに相対する位置にレール部を配し、前記バリアがカメラ前後方向に移動不可能となるように当接することを特徴とするスライドバリア機構。
【０００９】
（２）前記スライドバリア機構において前記バリアが開状態または閉状態であることを検出するためのバリア開閉検出部材を有し、前記バリア開閉検出部材は前記フックの近傍にあることを特徴とする前記（１）記載のスライドバリア機構。
【００１０】
（３）前記スライドバリア機構においてレンズ鏡筒が繰り出し時に前記バリアが移動不可能となるように移動するバリア固定部材を有し、前記移動式バリア固定部材は前記フックの近傍にあることを特徴とする前記（１）または（２）記載のスライドバリア機構。
【００１１】
（４）前記スライドバリア機構において前記バリア検出部材は前記バリアに設けられたバリア検出部材により、前記バリアが全開、または全閉、あるいはその近傍時以外は前記バリア開閉検出部材の移動を伴わないことを特徴とする前記（１）または（２）記載のスライドバリア機構。
【００１２】
（５）前記スライドバリア機構において前記フックが当接するレール部は前記バリア中間域において一部が切りかかれ、前記バリアが中間域でのみ取り付け可能であることを特徴とする前記（１）または（２）記載のスライドバリア機構。
【発明の効果】
【００１３】
本発明のバリア機構ではバリアに引き剥がし方向の外力を受けても該バリアが浮き上がることを防ぐとともに、バリア開閉方向と直交する方向に力が加わっても該インナー部材が浮き上がり、ギア歯飛びを誘発することが無くなった上にバリアが変形したり、外部から強い力が加わってもバリア検出部材がインナー部材の溝から外れ、開閉検知ができなくなることを防止するとともに、合わせて鏡筒繰り出し状態でのバリアロック外れを防止することができた。またバリアが全開、全閉以外の中間域以外での組み込みができない構造にすることで組み込み時検出機構を破壊してしまうことを避けることができた。なお、本実施例におけるバリアは外装面となるアウターとインナーの２部品で構成されているが本発明では１部品で構成されたものでも構わないものとする。
【発明を実施するための最良の形態】
【００１４】
以下本発明を実施するための最良の形態を、実施例により詳しく説明する。
【実施例】
【００１５】
図２〜図７を参照して本発明のスライドバリア機構の実施例について説明する。
【００１６】
図２において７はカメラ外装板８の前面を左右方向に移動可能なバリアであり、バリア７は図３のように外装カバー９ａ、９ｂとインナー部材１０により構成され固着されている。バリアインナー１０の背面、上下にはバリア７の移動方向と平行に延在するラック１０ａ、１０ｂが形成されているとともに、それぞれのラックに隣接した位置には非移動回転案内部材１３の軸穴を通る軸１２ｃに係合するピニオンギア１２ａ、１２ｂと相対するリブ１０ｄが形成されている。また２つのリブ１０ｄの間には凹１０ｃがあり、前記非移動回転案内部材１３が板部材１１との間で挟まれ該バリア７の移動方向と平行に摺動することができるように形成されている。
【００１７】
１４は外装板８の裏面に固着される保持部材であり、該保持部材１４は前記非移動回転案内部材１３を介して前記バリア７を相対摺動可能に保持する機能を有するとともに前記バリア移動方向と平行に移動可能なバリア開閉検出部材２０を間接的に保持する機能を持つ。
【００１８】
前記保持部材１４は前記板部材１１を抱え込む形で形成され外装板８に固定された前記保持部材１４に１３ａ部分に設けられたビス穴において締結され、１３ｂ部分に開けられた軸穴をピニオンギア１２ａ、１２ｂを係合した該軸１２ｃが貫通し、回転可能に保持する機能を持つ。また前記保持部材１４の中央部には図４で示す前記板部材１１に設けられた凹状のレール１１ａと相対した位置に該バリア７の開閉時にクリック感を発生するためのボール２１とボールを該板部材１１の方向に押し付けるために挿入されたバネ２２が入るためのガイド筒１４ａが開けられており、前記バリア７の開閉時、前記ボール２１が前記板部材１１に設けられた２箇所の穴１１ｂ（図示しない）に落ち込む事によりボール２１が該保持部材１４の軸穴１４ａを移動しクリック力を発生させることができる。
【００１９】
前記保持部材１４の上下にはそれぞれ前記インナー部材１０の上下に設けられた窪み１０ｃ部分に相対した位置にフック１４ｂが設けられ、前記インナー部材１０には前記バリア７が開閉時、該インナー部材の窪み１０ｃ内のリブ１０ｇが該フック１４ｂと当接することにより該バリア７が浮き上がることを防止するとともに、バリアを引き剥がす方向に外部から力が加わっても前記バリア出部材２０が前記インナー部材１０のレール部分１０ｅから外れることによりバリア開閉の検出が出来なくなることことはない。また成形時のそりによって前記バリア検出部材２０がレール１０ｅから外れることもない上、後述するバリアのロック部材１５がロック位置から外れ、鏡筒とぶつかることを防止できるようにしている。またラックとピニオンギアを使用したバリアの場合カメラ正面から見たときの回転方向、つまりバリアの端に近い部分を側面から押されるとバリアに回転モーメントが働き、シャフト１２ｃで連結された上下のピニオンギア１２ａ、１２ｂには逆位相の力が働き、その力に負けてバリアが浮き上がることにより上下の位相がずれる、歯飛びを起こすことがあったが今回追加した上下のフック１４ｂにより回転方向の力が加わってもバリアが逃げることなく歯飛びが起こらない構造となっている。バリアの浮き上がりを防止するという点においては上記フック１４ｂはバリアを摺動させるためのローラ、つまりピニオンギア１２ａ、１２ｂの軸線よりも離れた位置に置くほうがより効果的であり、本発明においては軸線から離れた位置であり、かつバリアからはみ出すことのない位置にフック１４ｂを設置している。
【００２０】
前記バリア開閉検出部材２０は前記保持部材１４の上部の凹部に挿入され板部材１７により抜け落ちない構造となっている。前記バリア開閉検出部材２０はバリア移動方向のみ自由に摺動可能であり中央部の窪みにバネ１９が入り、前記保持部材１４に設けられた２本のリブ１４ｂにより常に中立位置にくるようにバネが働く構造となっている。前記バリア開閉検出部材２０から伸びたガイドリブ２０ａが図７のようにインナー部材１０に設けられたガイドレール１０ｅにより開閉時溝の両端で押されることにより前記バリア開閉検出部材２０が移動しバリア開閉検出スイッチ２３が押し込まれ、バリアの開閉を検知することが可能になっている。また同検出部材２０はバリアが全開および全閉時またはその近傍以外ではインナー部材のガイドレール１０ｅで押されることなく常に中立位置を保持するため同検出部材は検出スイッチ２３の手前で静止した状態となる。
【００２１】
フック１４ｂに当接するリブ１０ｄ、１０ｇはそれぞれ中央付近が切りかかれており、該バリア組み込み時は同切りかき部以外の位置において組み込むことができない構造となっている。同切りかきのある中間域は前記検出部材２０の中立地帯となるため、バリア組み込みは前記検出部材２０が検出スイッチ２３を押す位置で不用意に組み込まれ、結果スイッチや検出部材そのものを破損してしまう危険性を避けることが可能である。
【００２２】
図５は前記保持部材１４を裏から見た図であり上部に前記バリア開閉検出部材２０が入るためのガイド形状１４ｄがあり、その下には前記バリアロック部材１５が入るための窪み１４ｅが設けられている。該バリアロック部材１５は該板部材１７により抜け落ちないように蓋をされ、バリア移動方向に対し直交する方向に移動可能に保持される。また、該バリアロック部材１５はコイルスプリング１６により常に下方向に付勢されており、それぞれスプリングを固定するためのリブ１５ｃおよびボス１４ｆが設けられている。前記バリアロック部材１５の上下には鏡筒が繰り出し状態の時にバリア７が不用意に閉じられてバリアが鏡筒を傷つけることのないように前記バリアロック部材１５からインナー部材１０に設けられたガイド部１０ｆに入り込むためのリブ１５ａが伸びており、前記スプリング１６により下側に移動したリブ１５ａが前記インナー部材１０の段差部分に引っかかることによりバリア７がロックされる構造となっている。図示しないが鏡筒が繰り出し状態ではない時は鏡筒のカムリングの一部が前記バリアロック部材１５のアーム１５ｂを上方向に押し上げる構造となっておりバリア７は自由に移動することができる。またバリア７をカメラ正面側から押圧されてもインナー部材１０の上下に設けられた摺動テープによりバリア７がカメラ外装とこすれ前面カバーに傷がつくのを防止している。
【図面の簡単な説明】
【００２３】
【図１】ピニオンギアとバリアの内側にラックを設けたバリア機構の一例を示した図
【図２】本発明の実施例となるスライドバリア機構を有するカメラの正面図（バリア開）
【図３】本発明の実施例となるスライドバリア機構を有するカメラの分解図
【図４】本発明の実施例となるスライドバリア機構のインナー部材詳細図
【図５】本発明の実施例となるスライドバリア機構の保持部材分解図
【図６】本発明の実施例となるスライドバリア機構の断面図
【図７】本発明の実施例となるスライドバリア開閉検出機構の断面図
【図８】本発明の実施例となるスライドバリア機構を有するカメラの外観図（バリア閉）
【符号の説明】
【００２４】
７  バリア
８  カメラ外装板
９ａ、９ｂ  外装カバー
１０  インナー部材（バリアインナー）
１０ａ、１０ｂ  ラック
１０ｃ  凹（窪み）
１０ｄ  リブ
１０ｅ  レール
１０ｆ  ガイド部
１０ｇ  リブ
１１  板部材
１１ａ  レール
１２ａ、１２ｂ  ピニオンギア
１２ｃ  軸（シャフト）
１３  非移動回転案内部材
１４  保持部材
１４ａ  ガイド筒（軸穴）
１４ｂ  フック
１４ｄ  ガイド形状
１４ｅ  窪み
１４ｆ  ボス
１５  バリアロック部材
１５ｂ  アーム
１５ｃ  リブ
１６  コイルスプリング
１７  板部材
１９  バネ
２０  バリア開閉検出部材
２０ａ  ガイドリブ
２１  ボール
２２  バネ
２３  バリア開閉検出スイッチ
【図１】
2005309199.tif 000003
【図２】
2005309199.tif 000004
【図３】
2005309199.tif 000005
【図４】
2005309199.tif 000006
【図５】
2005309199.tif 000007
【図６】
2005309199.tif 000008
【図７】
2005309199.tif 000009
【図８】
2005309199.tif 000010